(57)【要約】      （修正有）【課題】手持式一体型エアブラシを提供する。【解決手段】握り柄１００を備えた筐体とスイッチ素子と操作ボタン５０とを含む手持式一体型エアブラシを開示し、筐体内に上部収容キャビティ及び下部収容キャビティが形成され、筐体の上部収容キャビティにエアブラシ組立体が設けられ、筐体の下部収容キャビティにエアポンプ組立体が設けられ、エアポンプ組立体はエアブラシ組立体に圧縮空気を吹き込むために用いられ、前記スイッチ素子は、エアポンプ組立体の運転オンオフの制御に用いられ、前記操作ボタンは、第１制御部と第２制御部とを含み、弾性部材を通じて筐体の前記握り柄部位に往復移動可能に設けられ、かつ前記操作ボタンが押圧行程中に前記弾性部材の弾性復元力を受ける。引き金式操作ボタンを通じてエアポンプ及びエアブラシの運転を同時に制御することで、握り及び操作がより一層便利になる。【選択図】図１
2020192523.tif 000002
【特許請求の範囲】
【請求項１】
握り柄（１００）を備えた筐体（１０）と操作ボタン（５０）とを含む手持式一体型エアブラシであって、前記筐体（１０）内に上部収容キャビティ（１１）及び下部収容キャビティ（１２）が形成され、前記筐体（１０）の前記上部収容キャビティ（１１）にエアブラシ組立体（２０）が設けられ、前記筐体（１０）の前記下部収容キャビティ（１２）にエアポンプ組立体（３０）が設けられ、前記エアポンプ組立体（３０）は前記エアブラシ組立体（２０）に圧縮空気を吹き込むために用いられ、
前記操作ボタン（５０）は、弾性部材（６０）を通じて前記筐体（１０）の前記握り柄（１００）部位に往復移動可能に設けられ、かつ前記操作ボタン（５０）が押圧行程中に前記弾性部材（６０）の弾性復元力を受け、
前記操作ボタン（５０）は、第２制御部（５２）を含み、前記操作ボタン（５０）を押した時、前記第２制御部（５２）が前記操作ボタン（５０）の押圧行程中に前記操作ボタン（５０）の押圧変位量の変化に伴い、前記エアブラシ組立体（２０）のノズル開弁を制御し、
前記操作ボタン（５０）から手を離した時、前記操作ボタン（５０）は前記弾性部材（６０）の弾性復元力により元の位置に戻り、前記第２制御部（５２）が前記エアブラシ組立体（２０）のノズル閉弁を制御する、
ことを特徴とする、手持式一体型エアブラシ。 
【請求項２】
エアポンプ組立体（３０）の運転オンオフの制御に用いられるスイッチ素子（４０）を更に含み、 前記操作ボタン（５０）は、第１制御部（５１）とを含み、前記操作ボタン（５０）が押された時、前記第１制御部（５１）が前記操作ボタン（５０）の押圧行程中に前記スイッチ素子（４０）を開状態に保持するよう制御することで、エアポンプ組立体（３０）の運転オンを制御し、
前記操作ボタン（５０）から手を離した時、前記操作ボタン（５０）は前記弾性部材（６０）の弾性復元力により元の位置に戻り、前記第１制御部（５１）が前記スイッチ素子（４０）を閉状態に制御することで、前記エアポンプ組立体（３０）の運転停止を制御する、
ことを特徴とする、請求項１に記載の手持式一体型エアブラシ。
【請求項３】
前記操作ボタン（５０）は、第３制御部（５３）を更に含み、前記筐体（１０）内に前記第３制御部（５３）とマッチする前記セルフロッキング跳返装置（７０）が更に設けられ、前記操作ボタン（５０）を押すと、前記第３制御部（５３）が前記前記セルフロッキング跳返装置（７０）をそのセルフロッキング位置に駆動させた時、前記操作ボタン（５０）が前記押圧位置に制限して固定され、
もう一度前記操作ボタン（５０）を押すと、前記第３制御部（５３）は前記前記セルフロッキング跳返装置（７０）をその跳返位置に駆動させた時、前記操作ボタン（５０）が制限固定から解放され、前記弾性部材（６０）の弾性復元力によって元の位置に戻ることを特徴とする、請求項２に記載の手持式一体型エアブラシ。
【請求項４】
前記筐体（１０）内に環状凹部（１５）が設けられ、前記環状凹部（１５）は前記上部収容キャビティ（１１）と前記下部収容キャビティ（１２）の間に位置し、前記エアポンプ組立体（３０）の上部に密封部材（３１１）を嵌設しており、前記密封部材（３１１）を前記環状凹部（１５）内に密嵌させることを特徴とする、請求項１〜３のいずれか一項に記載の手持式一体型エアブラシ。
【請求項５】
前記下部収容キャビティ（１２）内には、電源アセンブリ（８０）及び回路制御パネル（９０）が設けられ、前記エアポンプ組立体（３０）全体は前記筐体（１０）の前記下部収容キャビティ（１２）内に係止され、前記電源アセンブリ（８０）が前記エアポンプ組立体（３０）の下方に設けられ、前記回路制御パネル（９０）がエアポンプ組立体（３０）脇の前記筐体（１０）内壁に係着されることを特徴とする、請求項４に記載の手持式一体型エアブラシ。
【請求項６】
前記回路制御パネル（９０）に前記筐体（１０）表面に露出する電源ボタン（９１）が設けられ、前記電源アセンブリ（８０）が前記回路制御パネル（９０）を通じて前記エアポンプ組立体（３０）に給電し、前記電源ボタン（９１）が前記回路制御パネル（９０）の回路を制御するために用いられることを特徴とする、請求項５に記載の手持式一体型エアブラシ。
【請求項７】
前記回路制御パネル（９０）には、前記筐体（１０）表面に露出する表示部（９２）が更に設けられ、前記表示部（９２）が前記エアポンプ組立体（３０）及び／或いは前記電源アセンブリ（８０）の動作状態を表示するために用いられることを特徴とする、請求項５に記載の手持式一体型エアブラシ。
【請求項８】
前記回路制御パネル（９０）には、前記電源アセンブリ（８０）に充電する充電ポート及び／或いは前記エアポンプ組立体（３０）に給電する給電ポートが更に設けられ、前記充電ポート及び／或いは前記給電ポートが前記筐体（１０）底端に延出されることを特徴とする、請求項５に記載の手持式一体型エアブラシ。
【請求項９】
前記エアブラシ組立体（２０）は、内部に収容キャビティを設けた本体（２１）を含み、前記本体（２１）の上側に前記収容キャビティと連通するフィード組立体が設けられ、前記本体（２１）の先端にノズル組立体（２３）が連結され、前記ノズル組立体（２３）に前記収容キャビティと連通するセンター噴射孔が設けられ、前記本体（２１）の後端にスプリングケース（２４）が接続され、前記スプリングケース（２４）内にガータスプリング及び前記ガータスプリングを挿通するニードルチャック（２５）が嵌設され、前記スプリングケース（２４）の後端にロックナット（２６）が接続され、前記ガータスプリングの両端が各々前記ニードルチャック（２５）及び前記ロックナット（２６）に当接し、前記ニードルチャック（２５）に前記収容キャビティに突入して前記センター噴射孔にマッチするようニードル（２７）が持設されることを特徴とする、請求項１〜３のいずれか一項に記載の手持式一体型エアブラシ。
【請求項１０】
前記エアポンプ組立体（３０）は、エアコンプレッサーポンプ（３１）と前記エアコンプレッサーポンプ（３１）運転を駆動するモータ（３２）とを含み、前記エアコンプレッサーポンプ（３１）が前記モータ（３２）の上端に設けられると共に前記モータ（３２）の出力軸と動力伝達可能に連結されることを特徴とする、請求項１〜３のいずれか一項に記載の手持式一体型エアブラシ。
【発明の詳細な説明】
【技術分野】
【０００１】
本発明は、エアポンプエアブラシ技術分野に属し、特に、エアポンプとエアブラシを一体化したハンドヘルドエアブラシに関する。
【背景技術】
【０００２】
エアブラシとは、外観が特大のボールペンに類似したツールで、液体顔料を格納できる容器と１本の圧縮空気を導入する細いホースが付属するものをいう。エアブラシは、均一な色調及び色彩のグラデーション効果を得ることができるため、絵画やメークアップ等の分野に幅広く活用されている。
【０００３】
従来のエアブラシ構造は、特許文献１で開示されている美容用エアブラシを参照でき、前記美容用エアブラシは本体前部と本体後部を互いに螺接した本体を含み、本体内部が空洞部であり、本体前部外壁が空洞部に連通する美容液収容キャビティが設けられ、本体前部の螺接端に対向する他側に美容液の吐出用センターホールが設けられ、センターホールにノズルが設けられ、ノズルとセンターホールがねじ込み接続され、美容用エアブラシにニードルが設けられ、ニードルがノズル、センターホールに挿通され、ニードルとノズル口が嵌合されて密封面を形成し、本体前部のノズルに対向する他端にエアバルブが設けられ、前記エアバルブの排気口がセンターホールと連通する。本体上にボタンが設けられ、ボタンはエアバルブの直上方に位置し、ボタンの末端がエアバルブの弁体と連結し、半径方向に沿ってボタンを押してエアバルブの開閉を制御し、空洞部内にニードル挟持装置が設けられ、ニードルとニードル挟持装置が固結され、ボタンが軸方向に沿って操作されてニードル挟持装置の軸方向移動を制御することで、ニードルの移動を制御し、ノズル口の美容液の噴出量を調節する。使用時には、美容液を美容液収容キャビティに入れ、ボタンを押してエアバルブを開き、圧縮空気が本体の空洞部内に吹き込まれ、更に軸方向に沿って移動するボタンを通じてニードルの軸方向移動を制御し、圧縮空気で美容液をノズル内から押し出させることができる。前記エアブラシは、同一のボタンでエアバルブとニードルを同時に開かせることで、美容用エアブラシの操作を簡略化させる。
【０００４】
特許文献２では、エアポンプエアブラシが開示され、エアポンプエアブラシと電池モジュールを一体に統合し、エアポンプエアブラシは電力供給の必要があることによって、移動操作に不便があるという課題を解決した。特許文献２は、従来のエアブラシの操作ボタンの下側に制御用回路基板が設けられ、制御用回路基板の表面に制御ボタンが設けられ、操作ボタンが制御ボタンを通じて制御用回路基板と固結させることで、電池モジュールの給電を制御する。
【０００５】
しかしながら、上記技術的解決手段において、エアブラシと圧縮空気を供給するエアポンプは分かれて設けられる、すなわち、エアポンプが１本のエアホースを通じてエアブラシの本体空洞部に圧縮空気を吹き込むため、使用者がエアブラシを操作する時には、従来エアブラシのボタンが本体の上側に設けられているため、手で握り難く操作が不便であり、また、エアポンプのエアホースのエアブラシに対する接続の妨害は、使用者の移動や操作に多くの不便が与えていた。
【先行技術文献】
【特許文献】
【０００６】
【特許文献１】中国実用新案公告第ＣＮ２０３３８９７８８Ｕ号
【特許文献２】中国実用新案公告第ＣＮ２０８４１１２７９Ｕ号
【発明の概要】
【発明が解決しようとする課題】
【０００７】
本発明は、上記従来技術に存在する不足に鑑み、エアポンプとエアブラシを人間工学的に設計された握り柄内に統合し、引き金式操作ボタンを通じてエアポンプ及びエアブラシの運転を同時に制御することで、握りやすさや操作をより一層便利にさせる手持式一体型エアブラシを提供することを目的とする。
【課題を解決するための手段】
【０００８】
本発では、上記目的を達成するために、次の技術的手段を講じた。
即ち、手持式一体型エアブラシであって、握り柄を備えた筐体と操作ボタンとを含み、筐体内に上部収容キャビティ及び下部収容キャビティが形成され、筐体の上部収容キャビティにエアブラシ組立体が設けられ、筐体の下部収容キャビティにエアポンプ組立体が設けられ、エアポンプ組立体はエアブラシ組立体に圧縮空気を吹き込むために用いられ、
前記操作ボタンは弾性部材を通じて筐体の前記握り柄部位に往復移動可能に設けられ、かつ前記操作ボタンが押圧行程中に前記弾性部材の弾性復元力を受け、
前記操作ボタンは、第２制御部を含み、操作ボタンを押した時、前記第２制御部が前記操作ボタンの押圧行程中に前記操作ボタンの押圧変位量の変化に伴い、エアブラシ組立体のノズル開弁を制御し、
操作ボタンから手を離した時、操作ボタンは前記弾性部材の弾性復元力により元の位置に戻り、前記第２制御部がエアブラシ組立体のノズル閉弁を制御する。
【０００９】
上記技術的手段において、操作ボタンは、片切りスイッチボタンであり、すなわち、操作ボタンに１個の制御部のみを設けてエアブラシ組立体を制御し、エアポンプ組立体のオンオフ制御を他のスイッチを通じて制御でき、或いはエアポンプのオンオフ制御を必要とすることなく、エアポンプを常に動作状態にさせる。
【００１０】
手持式一体型エアブラシであって、握り柄を備えた筐体とスイッチ素と操作ボタンとを含み、筐体内に上部収容キャビティ及び下部収容キャビティが形成され、筐体の上部収容キャビティにエアブラシ組立体が設けられ、筐体の下部収容キャビティにエアポンプ組立体が設けられ、エアポンプ組立体はエアブラシ組立体に圧縮空気を吹き込むために用いられ、
前記スイッチ素子は、エアポンプ組立体の運転オンオフの制御に用いられ、
前記操作ボタンは弾性部材を通じて筐体の前記握り柄部位に往復移動可能に設けられ、かつ前記操作ボタンが押圧行程中に前記弾性部材の弾性復元力を受け、
前記操作ボタンは、第１制御部と第２制御部とを含み、操作ボタンが押された時、前記第１制御部が前記操作ボタンの押圧行程中に前記スイッチ素子を開状態に保持するよう制御することで、エアポンプ組立体の運転オンを制御し、前記第２制御部が前記操作ボタンの押圧行程中に前記操作ボタンの押圧変位量の変化に伴い、エアブラシ組立体のノズル開弁を制御し、
操作ボタンから手を離した時、操作ボタンは前記弾性部材の弾性復元力により元の位置に戻り、前記第１制御部が前記スイッチ素子を閉状態に制御することで、エアポンプ組立体の運転停止を制御し、前記第２制御部がエアブラシ組立体のノズル閉弁を制御する。
【００１１】
上記技術的手段において、操作ボタンは、両切りスイッチボタンであり、操作ボタンの２個の制御部を通じて同時にエアブラシ組立体及びエアポンプ組立体を制御し、
エアポンプ組立体を制御する時、１個のスイッチ素子の設置を通じて操作ボタンの制御部と前記スイッチ素子の組み合わせによりエアポンプ組立体の運転オンオフを制御する。
【００１２】
さらに、前記スイッチ素子は、インチングスイッチであり、前記第１制御部が前記インチングスイッチの接点とマッチするストッパーブロックである。前記第２制御部は、前記エアブラシ組立体内に突入するシフトブロックであり、前記シフトブロックに前記エアブラシ組立体のニードルが挿通するための挿通溝が設けられる。前記弾性部材は、スプリングであり、スプリングの両端が各々筐体内壁及び操作ボタンの内側に当接する。
【００１３】
さらに、前記操作ボタンは、第３制御部を更に含み、前記筐体内に前記第３制御部とマッチするセルフロッキング跳返装置が更に設けられ、操作ボタンを押すと、前記第３制御部が前記セルフロッキング跳返装置をそのセルフロッキング位置に駆動させた時、前記操作ボタンが前記押圧位置に制限して固定され、
もう一度操作ボタンを押すと、前記第３制御部は前記セルフロッキング跳返装置をその跳返位置に駆動させた時、前記操作ボタンが制限固定から解放され、前記弾性部材の弾性復元力によって元の位置に戻る。
【００１４】
さらに、前記第３制御部は、前記セルフロッキング跳返装置の自由端と固結する係止溝である。
【００１５】
さらに、前記筐体の後端に着脱可能に接続される後蓋が設けられ、前記後蓋は、エアブラシ組立体の尾部と対応する。前記後蓋は、ソフトPVC材質で製造される。前記筐体の前端に着脱可能に接続される前蓋が更に設けられ、前記前蓋は、エアブラシ組立体のノズル部位に覆設される。前記筐体の上端に着脱可能に接続される頂蓋が更に設けられ、前記頂蓋にエアブラシ組立体の吸入口に合わせる注入孔が更に設けられる。前記筐体の下端に着脱可能に接続される底蓋が更に設けられる。
【００１６】
さらに、前記筐体内に環状凹部が設けられ、前記環状凹部は上部収容キャビティと下部収容キャビティの間に位置し、前記エアポンプ組立体の上部に密封部材を嵌設しており、前記密封部材を前記環状凹部内に密嵌させる。
【００１７】
さらに、前記操作ボタンの第１制御部、第２制御部及び第３制御部は、一体成形とし、且つ前記上部収容キャビティ内に位置し、前記インチングスイッチ、前記セルフロッキング跳返装置及び前記スプリングがいずれも前記上部収容キャビティ内に位置する。
【００１８】
さらに、前記下部収容キャビティ内には、電源アセンブリと回路制御パネルが更に設けられ、回路制御パネルに前記筐体表面に露出する電源ボタンが設けられ、前記電源アセンブリが前記回路制御パネルを通じて前記エアポンプ組立体に給電し、前記電源ボタンが回路制御パネルの回路を制御するために用いられる。前記回路制御パネルには、前記筐体表面に露出する表示部が更に設けられ、前記表示部がエアポンプ組立体及び／或いは電源アセンブリの動作状態を表示するために用いられる。前記回路制御パネルには、電源アセンブリに充電する充電ポート及び／或いは エアポンプ組立体に給電する給電ポートが更に設けられ、前記充電ポート及び／或いは前記給電ポートが筐体底端に延出され、前記底蓋の前記充電ポート及び／或いは前記給電ポートに対応する位置をずらすことが可能なソフトPVCパットが設けられる。
【００１９】
さらに、前記エアブラシ組立体に吸気ホースジョイントが設けられ、前記エアポンプ組立体に排気ホースジョイントが設けられ、前記吸気ホースジョイントと前記排気ホースジョイントの間はエアホースを通じて連通し、前記エアホースが前記筐体の上部収容キャビティ内に設けられる。
【００２０】
さらに、前記エアブラシ組立体は、内部に収容キャビティを設けた本体を含み、本体の上側に前記収容キャビティと連通するフィード組立体が設けられ、本体の先端にノズル組立体が連結され、ノズル組立体に前記収容キャビティと連通するセンター噴射孔が設けられ、前記吸気ホースジョイントが前記エアブラシ組立体の一端に突入して前記センター噴射孔と対応し、本体の後端にスプリングケースが接続され、スプリングケース内にガータスプリング及び前記ガータスプリングを挿通するニードルチャックが嵌設され、スプリングケースの後端にロックナットが接続され、ガータスプリングの両端が各々ニードルチャック及びロックナットに当接し、ニードルチャックに前記収容キャビティに突入して前記センター噴射孔にマッチするようニードルが持設される。
【００２１】
さらに、前記本体後端の前記ニードルチャックに対応する位置に前記操作ボタンの第２制御部が突入するための摺動溝が設けられ、前記第２制御部が前記摺動溝内に突入した時、前記ニードルチャックに当接する。
【００２２】
さらに、前記エアポンプ組立体は、エアコンプレッサーポンプと前記エアコンプレッサーポンプ運転を駆動するモータとを含み、前記エアコンプレッサーポンプが前記モータの上端に設けられると共に前記モータの出力軸と動力伝達可能に連結される。前記エアポンプ組立体全体は、前記筐体の下部収容キャビティ内に係止される。
【００２３】
さらに、前記筐体は、左右の両半分が嵌め合うことで形成される。
【発明の効果】
【００２４】
上記技術的手段を講じた後、本発明は従来技術に対比して持つ利点として、
従来技術において、まず、エアブラシには、専用の握り柄がなく、且つ操作ボタンが本体の上方に位置するため、手でエアブラシを握り且つ操作ボタンを押した時、腕のノズルに対する方向の制御が比較的大きな影響を受けてしまい、同時にエアブラシノズルの開度の精度も制御し難く、使用すると非常に不便であり、
次に、エアブラシとエアポンプが分かれて設置され、エアブラシとエアポンプの間は、エアホースを通じて接続し、エアホースが外部に露出した場合、一定程度においてエアブラシの移動を邪魔し、操作に影響し、
更にエアブラシの操作ボタンは、２つの方向において移動することで制御でき、すなわち、下方に向けて押圧するのがエアバルブ或いはエアポンプを制御するために用いられ、軸方向に水平移動するのがノズル開度の大きさを制御するために用いられ、このような操作ボタンの制御方法の制御精度が比較的低い。従来技術に対比すると、本発明は、人間工学的に設計された握り柄の筐体を含み、握りの手応えが増し、エアブラシの全体的な操作に有利となり、またエアポンプ組立体とエアブラシ組立体を該筐体内に統合し、エアブラシの移動とノズル方向の変更が握り方及びホースの影響を受けることがないため、操作するとより一層便利となり、
これ以外に、本発明は操作ボタンを握り柄部位に設けて引き金構造に類似し、エアブラシを握らせながら簡単に操作ボタンを制御でき、且つ前記操作ボタンの操作方法は単一方向上の押圧操作で同時にエアポンプ組立体及びエアブラシ組立体を制御できるため、従来技術に対比すると、本発明の握り及び操作が更に便利となる。
【００２５】
本発明は、筐体、エアブラシ組立体、操作ボタン及びエアポンプ組立体等について更なる革新な設計であり、持つという有利な技術的効果が下記の具体的実施形態において更に説明していくため、ここでその説明を省略する。
【００２６】
以下、添付図面と実施例を組み合わせて本発明を更に説明する。
【図面の簡単な説明】
【００２７】
【図１】本発明の構造を示す立体図である。
【図２】本発明の構造を示す分解図である。
【図３】本発明に係る筐体内部の構造を示す模式図である。
【図４】本発明に係る筐体内部の装配構造を示す模式図である。
【図５】本発明に係るエアブラシ組立体の構造を示す上面図である。
【図６】本発明に係る操作ボタンとインチングスイッチを組み合わせた構造を示す模式図である。
【図７】本発明に係る操作ボタンとセルフロッキング跳返装置を組み合わせた構造を示す模式図である。
【発明を実施するための形態】
【００２８】
下記は、本発明の好ましい実施例であって、これにより実施例の本発明の保護範囲が限定されるものではない。
【００２９】
図１及び図２を参照すると、手持式一体型エアブラシであり、握り柄１００を備えた筐体１０を含み、筐体１０は硬質射出成形品であることが好ましく、かつ筐体１０が左右の両半分を嵌め合うことで形成され、組み立てに便利である。
【００３０】
図３及び図４を参照すると、筐体１０内に上部収容キャビティ１１及び下部収容キャビティ１２が形成され、筐体１０の上部収容キャビティ１１にエアブラシ組立体２０が設けられ、筐体１０の下部収容キャビティ１２にエアポンプ組立体３０が設けられ、エアポンプ組立体３０はエアブラシ組立体２０に圧縮空気を吹き込むために用いられる。
【００３１】
図５を参照すると、前記エアブラシ組立体２０は、内部に収容キャビティを設けた本体２１を含み、本体２１の上側に前記収容キャビティと連通するフィード組立体が設けられ、具体的に言えば、フィード組立体は供給経路を設けた銅キャップ２２であり、本体２１が金属材質の中空柱体であり、本体２１の上側に丸孔が開設され、銅キャップ２２が前記丸孔内に置かれる共に溶接して固定され、銅キャップ２２の供給経路が本体２１の収容キャビティと連通し、前記銅キャップ２２の役目は塗料カップに接続するために用いられる。
【００３２】
本体２１の先端にノズル組立体２３が連結され、ノズル組立体２３に前記収容キャビティと連通するセンター噴射孔が設けられ、本体２１の後端にスプリングケース２４が接続され、スプリングケース２４内にガータスプリング（図示せず）及び前記ガータスプリングを挿通するニードルチャック２５が嵌設され、スプリングケース２４の後端にロックナット２６が接続され、ガータスプリングの両端が各々ニードルチャック２５及びロックナット２６に当接し、ニードルチャック２５に前記収容キャビティに突入して前記センター噴射孔にマッチするようニードル２７が持設される。
【００３３】
組立時、先にノズル組立体２３を本体２１の先端に接続し、スプリングケース２４が本体２１の後端に螺設され、ニードル２７をニードルチャック２５に挿入してから順次にニードルチャック２５とガータスプリングをスプリングケース２４内に嵌め込み、最後にロックナット２６とスプリングケース２４を螺入する。組み立てたノズル組立体２３を筐体１０の上部収容キャビティ１１内に固着する。
【００３４】
図４を参照すると、前記エアポンプ組立体３０は、エアコンプレッサーポンプ３１と前記エアコンプレッサーポンプ３１運転を駆動するモータ３２とを含み、前記エアコンプレッサーポンプ３１が前記モータ３２の上端に設けられると共に前記モータ３２の出力軸と動力伝達可能に連結される。エアポンプ組立体３０全体は、前記筐体１０の下部収容キャビティ１２内に係止される。
【００３５】
本実施形態におけるエアブラシの動作プロセスは、背景技術におけるエアブラシと類似し、エアポンプ組立体３０の圧縮空気を吐出する動作原理が属する分野の技術常識であるため、ここでその説明を省略する。ここで言及すべき点は、本実施形態のエアブラシ組立体の構造及び原理が背景技術におけるエアブラシと類似しているが本発明のエアブラシ組立体２０及びエアポンプ組立体３０がこれに限られるものではなく、本分野の他のエアブラシ組立体及びエアポンプ組立体の従来構造に対し、均しく本発明の範囲内において均等物により置換することができる。
【００３６】
さらに、前記エアブラシ組立体２０に吸気ホースジョイント２８が設けられ、前記吸気ホースジョイント２８は前記エアブラシ組立体２０の一端に突入して前記センター噴射孔と対応し、前記エアポンプ組立体３０に排気ホースジョイント３３が設けられ、前記吸気ホースジョイント２８と前記排気ホースジョイント３３の間がエアホース（図示せず）を通じて連通し、前記エアホースが前記筐体１０の上部収容キャビティ１１内に設けられる。具体的に言えば、前記吸気ホースジョイント２８は、本体２１の側面に設けられることで、エアホースをできる限り筐体１０の内壁に近くに寄せることができるため、操作ボタン５０の押圧操作に影響を及ぼさない。
【００３７】
図６を参照すると、本実施形態の手持式一体型エアブラシは、スイッチ素子４０を更に含み、前記スイッチ素子４０がエアポンプ組立体３０の運転オンオフを制御するために用いられる。具体的に言えば、前記スイッチ素子４０は、インチングスイッチ４１を含み、インチングスイッチ４１が従来のスイッチ部品であり、スイッチ接点４２を含み、前記接点４２に接触することでスイッチの制御を実現できる。前記インチングスイッチ４１は、回路板４３を通じて筐体１０の上部収容キャビティ１１の内壁上に固着され、エアポンプ組立体３０と電気的に接続する。
【００３８】
図３及び図４を参照すると、本実施形態の手持式一体型エアブラシは、操作ボタン５０を更に含み、前記操作ボタン５０が弾性部材６０を通じて筐体１０の前記握り柄１００部位に往復移動可能に設けられる。具体的に言えば、前記弾性部材６０は、スプリングであり、操作ボタン５０の筐体１０の外側に露出する部位が押圧部であり、前記押圧部が人の手指部位に合い、操作ボタン５０の筐体１０にある内側にガイドポストが設けられ、前記スプリングが前記ガイドポストを嵌め込み、且つスプリングの両端が各々筐体１０内壁及び操作ボタン５０の内側に当接する。筐体１０上に前記押圧部に合わせる取り付け穴１３が設けられ、操作ボタン５０は前記押圧部と前記取り付け穴１３の制限下で筐体１０において往復移動され、かつ操作ボタン５０が押圧行程中に前記弾性部材６０の弾性復元力を受け、前記弾性部材６０の弾性復元力で操作ボタン５０に筐体１０の外側に突出する移動付勢を保持させ、同時に操作ボタン５０から手を離した時の復帰移動に用いられる。
【００３９】
図６及び図７を参照すると、前記操作ボタン５０は、第１制御部５１と第２制御部５２とを含み、操作ボタン５０が押された時、前記第１制御部５１が前記操作ボタン５０の押圧行程中に前記スイッチ素子４０を開状態に保持するよう制御することで、エアポンプ組立体３０の運転オンを制御し、前記第２制御部５２が前記操作ボタン５０の押圧行程中に前記操作ボタン５０の押圧変位量の変化に伴い、エアブラシ組立体２０のノズル開弁を制御し；操作ボタン５０から手を離した時、操作ボタン５０は前記弾性部材６０の弾性復元力により元の位置に戻り、前記第１制御部５１が前記スイッチ素子４０を閉状態に制御することで、エアポンプ組立体３０の運転停止を制御し、前記第２制御部５２がエアブラシ組立体２０のノズル閉弁を制御する。
【００４０】
前記第１制御部５１は、前記インチングスイッチ４１の接点４２とマッチするストッパーブロックである。インチングスイッチ４１は筐体１０の上部収容キャビティ１１内に取り付けられた時、その接点４２が操作ボタン５０の移動方向に向けられ、初期状態において、前記ストッパーブロックと前記接点４２が接触位置にあり、一度操作ボタン５０を押すと、前記ストッパーブロックが操作ボタン５０の移動に伴いインチングスイッチ４１の接点４２に接触する状態を保持して前記インチングスイッチ４１が前記操作ボタン５０の押圧行程中において常に開状態を保持させることができる。
【００４１】
前記第２制御部５２は、前記エアブラシ組立体２０内に突入するシフトブロックであり、前記シフトブロックに前記エアブラシ組立体２０のニードル２７が挿通するための挿通溝５２１が設けられ、前記挿通溝５２１がニードル２７の挿通に対し待避の働きを果たし、具体的に言えば、図５を参照すると、前記本体２１後端の前記ニードルチャック２５に対応する位置に前記シフトブロックが突入するための摺動溝２１１が設けられ、前記シフトブロックが前記摺動溝２１１内に突入した時、前記ニードルチャック２５に当接し、操作ボタン５０の押圧往復移動に伴い、前記シフトブロックも摺動溝２１１内で往復摺動すると共にニードルチャック２５を連動して本体２１内の軸方向に往復移動させることで、ニードル２７とノズル組立体２３との間の開度の大きさを調節し、塗料噴出量の調節を実現する。
【００４２】
図４及び図７を参照すると、好ましい実施形態として、前記操作ボタン５０は、第３制御部５３を更に含み、前記筐体１０内に前記第３制御部５３とマッチするセルフロッキング跳返装置７０が更に設けられ、操作ボタン５０を押すと、前記第３制御部５３が前記セルフロッキング跳返装置７０をそのセルフロッキング位置に駆動させた時、前記操作ボタン５０が前記押圧位置に制限して固定され；もう一度操作ボタン５０を押すと、前記第３制御部５３は前記セルフロッキング跳返装置７０をその跳返位置に駆動させた時、前記操作ボタン５０が制限固定から解放され、前記弾性部材６０の弾性復元力によって元の位置に戻る。セルフロッキング跳返装置７０の構造及び原理は、属する分野の技術常識であり、セルフロッキング跳返機能とする構成要素が市場から購入できるため、ここでその説明を省略する。
【００４３】
さらに、前記第３制御部５３は、前記セルフロッキング跳返装置７０の自由端71と固結する係止溝であり、前記係止溝がセルフロッキング跳返装置７０の自由端７１と固結された後、セルフロッキング跳返装置７０の自由端７１を操作ボタン５０の移動に伴い移動させることができ、同時にセルフロッキング跳返装置７０がセルフロッキング位置にあった時、操作ボタン５０を制限して前記位置にロックさせることができる。通常セルフロッキング跳返装置７０のセルフロッキング位置はその自由端７１の最大収縮部に接近し、すなわち、操作ボタン５０が制限してロックされた時、操作ボタン５０の押圧行程はその押圧最大行程に接近し、この場合、前記シフトブロックがニードルチャック２５をニードル２７とノズル組立体２３間の開度の最大位置に作動させ、すなわち、エアブラシがこの時、操作ボタン５０を押す必要がなくでも最大噴出量の動作状態に保持して運転し続けることができる。
【００４４】
図１及び図２を参照すると、好ましい実施形態として、前記筐体１０の後端に着脱可能に接続される後蓋１０１が設けられ、前記後蓋１０１は、エアブラシ組立体２０の尾部と対応する。前記後蓋１０１を取り外した後、前記筐体１０の後端が開口部１４となり、前記開口部１４部位から本体２１後端のロックナット２６を緩め、そしてガータスプリング、ニードルチャック２５及びニードル２７を順次取り出し、組立部材の洗浄或いは交換に便利となる。
【００４５】
前記後蓋１０１は、ソフトPVC材質で製造され、後蓋１０１の両側に留め具１０１１が設けられ、留め具１０１１に複数の嵌合固定具１０１２が設けられ、前記筐体１０の両側に前記嵌合固定具１０１２に合わせる嵌合固定孔１０１３が設けられ、留め具１０１１が嵌合固定具１０１２を通じて嵌合固定孔１０１３と嵌合し、筐体１０の後端に着脱可能に接続される。当然後蓋１０１も硬質材料を選択して製造されることができ、筐体１０との着脱可能な接続方式は、挿着、係着及び螺着等の均等範囲での置換方式とすることもできる。本実施形態においてソフトPVC材質で製造された留め具１０１１を選択し、衝突防止及び着脱便利の作用を持ち、さらに美観装飾効果も有している。
【００４６】
同様に、前記筐体１０の前端も着脱可能に接続される前蓋１０２を設けることができ、前記前蓋１０２は、エアブラシ組立体２０のノズル部位に覆接される。前蓋１０２を取り外した後、筐体１０の前端が開口部となり、前記開口部からノズル組立体２３を取り出して洗浄或いは交換できる。
【００４７】
さらに、前記筐体１０の上端には、着脱可能に接続される頂蓋１０３が更に設けられ、前記頂蓋１０３にエアブラシ組立体２０の吸入口に合わせる注入孔１０３１が設けられる。具体的に言えば、頂蓋１０３上の注入孔１０３１が前記銅キャップ２２の外径とマッチし、塗料が注入孔１０３１と銅キャップ２２間の隙間に沿って筐体１０内に流れ込むことを防止するため、銅キャップ２２の外周にシールリング１０３２を取り付けるための環形溝が更に開設され、シールリング１０３２を通じて注入孔１０３１と銅キャップ２２間の隙間を密封する。
【００４８】
さらに、前記筐体１０の下端には、着脱可能に接続される底蓋１０４が更に設けられ、底蓋１０４がソフトPVC材質を選択して製造され、筐体１０の下端を密封するために用いられ、筐体１０の衝突損傷を防止できる。
【００４９】
図３及び図４を参照すると、好ましい実施形態として、前記筐体１０内に環状凹部１５が設けられ、前記環状凹部１５は上部収容キャビティ１１と下部収容キャビティ１２の間に位置し、前記エアポンプ組立体３０の上部に密封部材３１１を嵌設しており、前記密封部材３１１を前記環状凹部１５内に密嵌させる。エアポンプ組立体３０上部の密封部材３１１は、筐体１０内の上部収容キャビティ１１と下部収容キャビティ１２を密封して仕切り、上部収容キャビティ１１がエアブラシ組立体２０及び操作ボタン５０等の制御実施部材を取り付けるために用いられ、具体的に言えば、前記操作ボタン５０の第１制御部５１、第２制御部５２及び第３制御部５３は、一体成形とし、且つ前記上部収容キャビティ１１内に位置し、前記インチングスイッチ４１、前記セルフロッキング跳返装置７０及び前記弾性部材６０がいずれも前記上部収容キャビティ１１内に位置し、これら部材の防水要求が比較的低く；下部収容キャビティ１２は、モータ３２、回路制御パネル９０及び電源アセンブリ８０等の帯電部材を含むエアポンプ組立体３０を取り付けるために用いられ、これら部材の防水要求が比較的高い。
【００５０】
さらに、前記下部収容キャビティ１２内には、電源アセンブリ８０と回路制御パネル９０が更に設けられ、回路制御パネル９０に前記筐体１０表面に露出する電源ボタン９１が設けられ、前記電源アセンブリ８０が前記回路制御パネル９０を通じて前記エアポンプ組立体３０に給電し、前記電源ボタン９１が回路制御パネル９０の回路を制御するために用いられる。上部収容キャビティ１１内に位置するインチングスイッチ４１の回路基板４３は、前記回路制御パネル９０と電気的に接続する。
【００５１】
前記回路制御パネル９０には、前記筐体１０表面に露出する表示部９２が更に設けられ、前記表示部９２がエアポンプ組立体３０及び／或いは電源アセンブリ８０の動作状態を表示するために用いられる。前記回路制御パネル９０には、電源アセンブリ８０に充電する充電ポート及び／或いはエアポンプ組立体３０に給電する給電ポートが更に設けられ、前記充電ポート及び／或いは前記給電ポートが筐体１０底端に延出され、前記底蓋１０４の前記充電ポート及び／或いは前記給電ポートに対応する位置をずらすことが可能なソフトPVCパットが設けられる。
【００５２】
本実施形態において、操作ボタン５０は、第１制御部５１と第２制御部５２と第３制御部５３とを含んだとしても、当業者であれば、操作ボタン５０は第２制御部５２のみを含む片切りスイッチの実施形態或いは操作ボタン５０が第１制御部５１と第２制御部５２のみを含む両切りスイッチの実施形態は、本実施形態を踏まえて簡略化するだけでよく、その実施形態も自明であるため、ここで、片切りスイッチ及び両切りスイッチの実施形態の詳細説明を省略する。
【００５３】
なお、本発明では好ましい実施例を前述の通り開示したが、これらは決して本発明に限定するものではなく、本発明の特許請求の範囲に記載の構造、特徴及び原理を脱しない均等の範囲内で各種の変更や修飾を加えるのは、全て本発明の特許請求の範囲に網羅される。
【符号の説明】
【００５４】
１００  握り柄
１０  筐体
１１  上部収容キャビティ
１２  下部収容キャビティ
１３  取り付け穴
１４  開口部
１５  環状凹部
２０  エアブラシ組立体
２１  本体
２２  銅キャップ
２３  ノズル組立体
２４  スプリングケース
２５  ニードルチャック
２６  ロックナット
２７  ニードル
２８  吸気ホースジョイント
３０  エアポンプ組立体
３１  エアコンプレッサーポンプ
３２  モータ
３３  排気ホースジョイント
４０  スイッチ素子
４１  インチングスイッチ
４２  接点
４３  回路基板
５０  操作ボタン
５１  第１制御部
５２  第２制御部
５３  第３制御部
６０  弾性部材
７０  セルフロッキング跳返装置
７１  自由端
８０  電源アセンブリ
９０  回路制御パネル
９１  電源ボタン
９２  表示部
１０１  後蓋
１０２  前蓋
１０３  頂蓋
１０４  底蓋
２１１  摺動溝
３１１  密封部材
５２１  挿通溝
１０１１  留め具
１０１２  嵌合固定具
１０１３  嵌合固定孔
１０３１  注入孔
１０３２  シールリング
【図１】
2020192523.tif 000003
【図２】
2020192523.tif 000004
【図３】
2020192523.tif 000005
【図４】
2020192523.tif 000006
【図５】
2020192523.tif 000007
【図６】
2020192523.tif 000008
【図７】
2020192523.tif 000009